(57)【要約】【課題】航空機脚１に対し、シミーダンパを後付け容易に構成する。【解決手段】航空機脚１は、ストラットシリンダ２１と、ストラットピストン２２とを含んで構成されるショックストラット２と、ストラットシリンダ２１及びストラットピストン２２間の軸線Ｘ回りの相対回転は規制するトルクリンク４と、車輪３にシミーが発生したときに振動する所定の振動部材に対して取り付けられて、当該シミーを減衰させるダイナミックダンパ５と、を備えている。【選択図】図２
2010221766.tif 000002
【特許請求の範囲】
【請求項１】
機体側に固定されるストラットシリンダと、当該ストラットシリンダの軸線と同軸となるようにこのストラットシリンダに内挿されると共に、車輪を軸支するストラットピストンとを含んで構成されるショックストラットと、
前記ショックストラットにおけるストラットシリンダ側とストラットピストン側との間に配設されて、前記ストラットシリンダ及びストラットピストン間の前記軸線方向の相対移動は許容する一方で、前記ストラットシリンダ及びストラットピストン間の前記軸線回りの相対回転は規制するトルクリンクと、
前記車輪にシミーが発生したときに振動する、所定の振動部材に対して取り付けられることによって、当該シミーを減衰させるダイナミックダンパと、
を備えている航空機脚。
【請求項２】
請求項１に記載の航空機脚において、
前記トルクリンクは、その基端が前記ストラットシリンダ側に枢支結合されると共に、その先端が前記軸線から離れるように径方向の外方に延びて配設されたアッパリンクと、その基端が前記ストラットピストン側に枢支結合されると共に、その先端が前記軸線から離れるように径方向の外方に延びて配設されたロアリンクとを含み、前記アッパリンク及びロアリンクの先端部同士が枢支結合されることによって構成され、
前記ダイナミックダンパは、前記アッパリンク及び前記ロアリンクの少なくとも一方に取り付けられている航空機脚。
【請求項３】
請求項１又は２に記載の航空機脚において、
前記ダイナミックダンパは、前記振動部材に取付固定される取付部と、前記取付部に接合されると共に、少なくとも前記振動部材の振動方向に弾性変形可能な弾性部と、前記弾性部を介して前記取付部に支持されかつ、前記弾性部の弾性変形を通じて振動する質量部と、前記質量部が振動する方向を、前記振動部材の振動方向となるように規制する規制壁と、を備えている航空機脚。
【請求項４】
請求項３に記載の航空機脚において、
少なくとも前記弾性部及び質量部の周囲を覆うカバー部を備え、
前記規制壁は、前記カバー部において、前記質量部を挟んだ両側位置で前記振動方向に延びて配設された側壁によって構成されている航空機脚。
【請求項５】
請求項３又は４に記載の航空機脚において、
前記取付部は、前記振動部材に対し締結部材によって締結固定されている航空機脚。
【発明の詳細な説明】
【技術分野】
【０００１】
本発明は、航空機脚に関する。
【背景技術】
【０００２】
軸線方向に相対移動する同軸配置のストラットシリンダとストラットピストンとを含んで構成され、その軸線方向の荷重を吸収するショックストラットを備えた航空機脚においては、ストラットシリンダとストラットピストンとの間の、軸線回りの相対回転を規制するためにトルクリンクが取り付けられることが一般的である。トルクリンクは、ストラットシリンダ側に枢支結合されると共に、前記軸線に対して径方向の外方に延びて配設されたアッパリンクと、ストラットピストン側に枢支結合されると共に、軸線に対して径方向の外方に延びて配設されたロアリンクとの端部同士が枢支結合されることによって構成される。これによってトルクリンクは、端部同士の枢支部を中心として各リンクが回動することによりストラットシリンダとストラットピストンとの軸線方向の相対移動は許容する一方で、各リンクの部材剛性によってストラットシリンダとストラットピストンとの軸線回りの相対回転は規制する。
【０００３】
こうしたショックストラット及びトルクリンクを備えた航空機脚においては、車輪に首振り振動（シミー：ｓｈｉｍｍｙ）が発生する場合がある。シミーが発生する場合にはそれを減衰させるシミーダンパが航空機脚に設けられる。例えば特許文献１には、ステアリング機構を含む前脚に設けられたシミーダンパとして、そのステアリンク機構を構成する油圧回路内にオリフィスを設けた構成が開示されている。また、例えば特許文献２には、ステアリング機構を含まない主脚のシミーダンパとして、トルクリンクにおけるアッパリンクとロアリンクとの枢支部分（アペックス）に、アッパリンク及びロアリンク間のシミーに伴う差動に対し作用する粘性ダンパを取り付けた構成が開示されている。
【特許文献１】米国特許出願公開第２００６／１４４９９３号明細書
【特許文献２】米国特許第５２２４６６８号明細書
【発明の開示】
【発明が解決しようとする課題】
【０００４】
ところで、シミーの発生は、試作機を実際に作製し、それを地上で走行させることによって確認する以外に、事前にその発生の有無を予測することは困難であり、シミーダンパは、試作機を作製後に航空機脚に設けられることが多い。このため、シミーダンパは、例えば後付けが可能な方が望ましく、チューニングも容易であることがより好ましい。
【０００５】
しかしながら、従来のシミーダンパは、前述したように油圧回路内に設けられたオリフィスであったり、トルクリンクのアペックスに設けられる粘性ダンパであったりするため、シミーダンパを設けるには、それらの部分の構成を、シミーダンパが設けられていない試作機からは大幅に変更しなければならないという問題がある。また従来のシミーダンパは、チューニングも容易ではない。
【０００６】
また、前脚は、航空機の牽引時には、トルクリンクのアペックスを切り離し可能に構成しなければならないため、例えば特許文献２に開示されているような、アペックスに設けた粘性ダンパを前脚に適用することはできない。その結果、例えば特許文献１に開示されているようなステアリングに関係する油圧回路等にシミーダンパを設ける構成が採用されることになる。すなわち、前脚はシミーダンパを後付けすることが特に困難である。
【０００７】
ここに開示する技術は、かかる点に鑑みてなされたものであり、その目的とするところは、航空機脚に対しシミーダンパを後付け容易にすることにある。
【課題を解決するための手段】
【０００８】
ここに開示する航空機脚は、機体側に固定されるストラットシリンダと、当該ストラットシリンダの軸線と同軸となるようにこのストラットシリンダに内挿されると共に、車輪を軸支するストラットピストンとを含んで構成されるショックストラットと、前記ショックストラットにおけるストラットシリンダ側とストラットピストン側との間に配設されて、前記ストラットシリンダ及びストラットピストン間の前記軸線方向の相対移動は許容する一方で、前記ストラットシリンダ及びストラットピストン間の前記軸線回りの相対回転は規制するトルクリンクと、前記車輪にシミーが発生したときに振動する、所定の振動部材に対して取り付けられることによって、当該シミーを減衰させるダイナミックダンパと、を備えている。
【０００９】
ダイナミックダンパは、ばね及びマスを含みかつ、主振動系に付加される副振動系であり、振動部材に対して、例えばボルト・ナットからなる締結手段等によって取り付けることが可能である。このため、ダイナミックダンパは、航空機脚に対する後付けが容易になる。また、ダイナミックダンパは、そのばねやマスの調整によってチューニングが可能であるため、チューニング作業が比較的容易であると共に、そのダイナミックダンパが取り付け容易であることは、取り外しも容易であることになるため、チューニングのために、ダイナミックダンパ交換等を行うこともまた、容易に行い得る。
【００１０】
前記トルクリンクは、その基端が前記ストラットシリンダ側に枢支結合されると共に、その先端が前記軸線から離れるように径方向の外方に延びて配設されたアッパリンクと、その基端が前記ストラットピストン側に枢支結合されると共に、その先端が前記軸線から離れるように径方向の外方に延びて配設されたロアリンクとを含み、前記アッパリンク及びロアリンクの先端部同士が枢支結合されることによって構成され、前記ダイナミックダンパは、前記アッパリンク及び前記ロアリンクの少なくとも一方に取り付けられている、としてもよい。
【００１１】
トルクリンクは、ストラットピストンに結合されているため、シミーの発生時に振動をする振動部材に相当する。トルクリンクはまた、外部に露出している部材であるため、ダイナミックダンパの取り付け及び取り外しを容易に行い得る。また、アッパリンク及び／又はロアリンクにダイナミックダンパを取り付け、その枢支部にはシミーダンパを設けないため、アッパリンクとロアリンクとの枢支部の構造を変更する必要はない。従って、既存のトルクリンクに対して後付けが容易に行い得る。さらに、アッパリンク及びロアリンクは、軸線に対して径方向の外方に突出するように配設されるため、そのアッパリンク又はロアリンクに取り付けられるダイナミックダンパは、軸線から径方向の外方位置に離れた位置に配置される。軸線に対して離れた位置は、振動による変位が大きくなることから、こうした位置にダイナミックダンパを配設することは、軸線回りの振動であるシミーを効率的に減衰し得る。つまり、この構成は、減衰効果を向上させる上で有利である。
【００１２】
前記ダイナミックダンパは、前記振動部材に取付固定される取付部と、前記取付部に接合されると共に、少なくとも前記振動部材の振動方向に弾性変形可能な弾性部と、前記弾性部を介して前記取付部に支持されかつ、前記弾性部の弾性変形を通じて振動する質量部と、前記質量部が振動する方向を、前記振動部材の振動方向となるように規制する規制壁と、を備えている、としてもよい。質量部の振動する方向を、規制壁によって振動部材の振動方向となるように規制することで、シミーを効率的に減衰し得る。
【００１３】
航空機脚は、少なくとも前記弾性部及び質量部の周囲を覆うカバー部を備え、前記規制壁は、前記カバー部において、前記質量部を挟んだ両側位置で前記振動方向に延びて配設された側壁によって構成されている、としてもよい。こうすることで、質量部は、側壁によってその振動方向が案内されるようになって、その振動方向が振動部材の振動方向となるように規制される。また、カバー部が、質量部の振動方向の規制機能を兼用することで、部品点数の低減化及び軽量化が図られると共に、弾性部及び質量部を覆うことによる耐環境性の向上が図られる。
【００１４】
前記取付部は、前記振動部材に対し締結部材によって締結固定されている、としてもよい。こうすることで、ダイナミックダンパを、後付けによって容易に取り付けることが可能になると共に、その取り外しも容易に行い得るから、チューニングもまた容易に行い得る。
【発明の効果】
【００１５】
以上説明したように、この技術によると、所定の振動部材に対してダイナミックダンパを取り付けることで航空機脚のシミーダンパを構成するため、例えばボルト・ナットからなる締結手段等によってダイナミックダンパを取り付けるようにすれば、ダイナミックダンパの取り付け及び取り外しが容易になり、シミーダンパを、航空機脚に対して簡易に後付けすることができるようになると共に、そのチューニングもまた容易に行うことができる。
【発明を実施するための最良の形態】
【００１６】
以下、本発明の実施形態を図面に基づいて説明する。尚、以下の好ましい実施形態の説明は、本質的に例示に過ぎず、適用物或いは用途を制限することを意図するものではない。
【００１７】
図１は、この実施形態に係る航空機脚を示しており、この航空機脚はステアリング機構を含む前脚１に構成されている。前脚１は、図示省略の航空機の機体と車輪３との間に配置されて、当該車輪３を支持するショックストラット２を備えている。ショックストラット２は、鉛直方向に対し所定の角度で傾斜した軸線Ｘ方向に延びる概略円筒状のストラットシリンダ２１と、同じく軸線Ｘ方向に延びる概略円柱状のストラットピストン２２と、を含みかつ、ストラットシリンダ２１に対し、ストラットピストン２２が同軸となるように内挿されることによって構成されている。ストラットピストン２２はストラットシリンダ２１に対して相対的に進退可能であり、前記ストラットシリンダ２１は、図示は省略するが、軸線Ｘ方向の衝撃荷重や振動荷重を吸収するための緩衝機構を内蔵している。ストラットシリンダ２１は、前記機体に対して固定される一方、ストラットピストン２２の下端部には、前記車輪３が前記軸線Ｘに対し直交する水平軸に対して軸支されており、これによって車輪３は水平軸回りに回転する。
【００１８】
ショックストラット２のストラットシリンダ２１には、その下端部に、ストラットシリンダ２１に対して相対的に、軸線Ｘ回りに回動可能なカラー２４が取り付けられている。カラー２４は、図示は省略するステアリング機構に接続されていて、そのステアリング機構によって軸線Ｘ回りに回動される。
【００１９】
カラー２４と、ストラットピストン２２との間は、トルクリンク４によって互いに連結されている。トルクリンク４は、図２にも示すように、相対的に上側に配置されるアッパリンク４１と、相対的に下側に配置されるロアリンク４２と、によって構成されている。アッパリンク４１は、その基端部が、カラー２４に対し、水平方向の軸回りに枢支結合されていて、その先端部が軸線Ｘから離れるように、径方向外方の斜め下方に延びるように配設されている。ロアリンク４２は、その基端部が、ストラットピストン２２の上端部に対し、水平方向の軸回りに枢支結合されていて、その先端部が軸線Ｘから離れるように、径方向外方の斜め上方に延びるように配設されている。そうして、アッパリンク４１の先端部とロアリンク４２の先端部とは、水平方向の軸回りに回動可能となるように、互いに枢支結合されている。これによって、トルクリンク４は、ストラットシリンダ２１とストラットピストン２２との軸線Ｘ方向の相対移動は、アッパリンク４１とロアリンク４２とがその先端部同士の枢支軸を中心として回動することによって許容しつつ、ストラットシリンダ２１とストラットピストン２２との軸線Ｘ回りの相対回転は、アッパリンク４１及びロアリンク４２の剛性によって規制するように構成されている。一方で、このトルクリンク４は、カラー２４が、ステアリング機構によって回動されたときには、ストラットピストン２２にトルクを伝達することによって、このストラットピストン２２を軸線Ｘ回りに回動させ、それによって車輪３の舵角を変更するように構成されている。尚、詳細な図示は省略するが、航空機の牽引時に車輪３をステアリング機構から切り離すために、アッパリンク４１とロアリンク４２との枢支部は切り離し可能に構成されている。
【００２０】
ここで、この前脚１においては、車輪３にシミーが発生したときには、ストラットピストン２２を通じてトルクリンク４（アッパリンク４１及びロアリンク４２）が、図１の紙面に対しおおよそ直交する方向に振動することになる（図３の矢印参照）。シミーを減衰させるためのシミーダンパとして、この前脚１には、トルクリンク４にダイナミックダンパ（動吸振器）５を取り付けている。
【００２１】
図２は、トルクリンク４及びダイナミックダンパ５の分解斜視図であり、アッパリンク４１は、カラー２４に枢支結合される基端部及びロアリンク４２に枢支結合される先端部の双方が、その間に部材を挟み込むように二叉状に形成されているのに対し、ロアリンク４２は、ストラットピストン２２に枢支結合される基端部は二叉状であるのに対して、アッパリンク４１に枢支結合される先端部は、そうした二叉状に形成されていない。このため、このトルクリンク４においては、アッパリンク４１が相対的に広いリンク幅を有していることから、ダイナミックダンパ５をアッパリンク４１の上面に取り付けるようにして、その取り付けの安定化を図っている。また、アッパリンク４１の上側には干渉物がない点も、ダイナミックダンパ５の取り付けには適している。
【００２２】
ダイナミックダンパ５は、取付部５１、弾性部５２、質量部５３及びカバー部５４を含んで構成されている。
【００２３】
ここで、アッパリンク４１は、軽量化のために、その上面に凹み部４１１がリンクの長手方向に延びるように形成されていることから、ダイナミックダンパ５を取り付けるにあたり、アッパリンク４１には、この凹み部４１１を埋める第１ベース４１２と、この第１ベース４１２に対して固定されて、アッパリンク４１よりも幅方向（後述するように、振動方向）に突出する第２ベース４１３と、がそれぞれ取り付けられている。ダイナミックダンパ５は、この第２ベース４１３上に載置されるように、この第２ベース４１３に対して取付固定される。
【００２４】
第１ベース４１２は、平面視で概略三角形状を有すると共に、所定の厚みを有する部材であり、その下面は、アッパリンク４１の凹み部４１１に沿うように下方に向かって膨出している一方、上面は、この第１ベース４１２をアッパリンク４１に対して固定したときに、このアッパリンク４１上面と面一となるような平坦面に構成されている。第１ベース４１２には、合計３つの貫通孔４１４が、平面視で三角形状を形成するように、貫通形成されている。また、アッパリンク４１の凹み部４１１内おける先端側（ロアリンク４２に枢支結合される端側）には、第１ベース４１２と同様の、平面視で三角形状を形成する３つの貫通孔４１５が、貫通形成されている。これらの貫通孔４１４，４１５は、後述するように第１ベース４１２及び第２ベース４１３をアッパリンク４１に対して固定するときに利用される。
【００２５】
第２ベース４１３は、アッパリンク４１の幅方向に延びる平板状の部材であり、前記第１ベース４１２に形成されている３つの貫通孔４１４に対応するように、その中央部に３つのボルト孔４１６が形成されている。第２ベース４１３の上面中央部には、この３つのボルト孔４１６を含むように、凹部４１７が形成されており、この凹部４１７は、ボルト孔４１６に内挿されるボルト４１８の頭部が、この第２ベース４１３の上面よりも上方に突出しないようにして、この第２ベース４１３の上面側に、後述するダイナミックダンパ５を配設可能にする。
【００２６】
第１ベース４１２及び第２ベース４１３は、アッパリンク４１の上面に、前述したように、第１ベース４１２及び第２ベース４１３の順で載置され、その状態で各ボルト４１８が、第２ベース４１３のボルト孔４１６、第１ベース４１２の貫通孔４１４及びアッパリンク４１の貫通孔４１５をそれぞれ貫通して配置される。そうして、アッパリンク４１の下面側から、各ボルト４１８に対してナット４１９を螺合することにより、これらを共締めして、第１及び第２ベース４１２，４１３がアッパリンク４１に対して取り付け固定される。
【００２７】
また、幅方向に延びる第２ベース４１３の一端部には、ダイナミックダンパ５の取り付け用の取付孔４１０が、２つ並んで貫通形成されている。
【００２８】
ダイナミックダンパ５の取付部５１は、矩形ブロック状の部材であって、前記の取付孔４１０に対応するように、上下方向に貫通する２つの貫通孔５１１が形成されている。この貫通孔５１１は、この取付部５１を第２ベース４１３に取付固定する（つまりダイナミックダンパ５をアッパリンク４１に取付固定する）ための取付ボルト５１２が内挿される孔である。
【００２９】
弾性部５２は、弾性変形可能な弾性材からなり、ここではゴムブロックによって構成されている。弾性部５２は、取付部５１に対して例えば接着により接合されている。弾性部５２を構成するためのゴムとしては、ダイナミックダンパ５として所定の機能を発揮するための剛性、及び、航空機脚に取り付けられる部材としての耐環境性が要求される。その種類は特に限定されないが、具体例としては、例えばクロロプレンゴムや、ウレタンゴム等が挙げることができる。この弾性部５２は、ダイナミックダンパ５におけるばね定数を規定するため、その硬さや大きさ等の、ばね定数を変更し得るパラメータは、後述するようにチューニングによって適宜設定されることになる。尚、弾性部５２は、ゴムに限らず、例えばばね等の他の弾性材によって構成してもよい。
【００３０】
質量部５３は、ダイナミックダンパ５におけるマスとして機能する部分であり、矩形ブロック状の金属材料より構成されている。質量部５３は、取付部５１とは逆側において弾性部５２に対し接着により接合されており、これによって質量部５３は、弾性部５２を介して取付部５１、ひいてはシミーにより振動する部材であるアッパリンク４１に支持されることになる。この質量部の質量（例えばその大きさ等）もまた、チューニングによって適宜設定されることになる。
【００３１】
カバー部５４は、横断面逆Ｕ字状の部材であって、前記取付部５１、弾性部５２及び質量部５３を覆うように、アッパリンク４１の幅方向に延びて配設されている。これによってカバー部５４は、取付部５１、弾性部５２及び質量部５３の耐環境性を向上させる。より詳細に、このカバー部５４は、ダイナミックダンパ５の両側それぞれに、このダイナミックダンパ５に沿うように、アッパリンク４１の幅方向に延びる一対の側壁５４１と、ダイナミックダンパ５の上方位置においてアッパリンクの幅方向に延びて配置されると共に、一対の側壁５４１の上端縁同士を互いに連結する上壁５４２と、を備えて構成されており、ダイナミックダンパ５の上方及び両側方がカバー部５４によって覆われることになる。尚、ダイナミックダンパ５の下方は、第２ベース４１３によって覆われている。
尚、ここに示すカバー部５４は、アッパリンク４１の幅方向における各端部、つまり、ダイナミックダンパ５における取付部５１側の端部（図２における左手前側の端部）及び質量部５３側の端部（図２における右奥側の端部）がそれぞれ開放されているが、この各端部に、上壁５４から下方に延びる側壁を有するようにして、ダイナミックダンパ５における取付部５１側の前端や、質量部５３側の後端を、その側壁によって覆うようにしてもよい。
【００３２】
図３は、カバー部５４を取り外した状態での、アッパリンク４１に取り付けられたダイナミックダンパ５の平面図である。同図に矢印で示すように、車輪３にシミーが発生したときには、アッパリンク４１は、概ねその幅方向に振動をすることから、このアッパリンク４１に取付固定されたダイナミックダンパ５は、その弾性部５２がアッパリンク４１の幅方向に伸縮変形することによって、質量部５３をアッパリンク４１の幅方向に振動させる。こうして、そのシミーを減衰させることになるが、図３に仮想的に示す前記カバー部５４の各側壁５４１は、質量部５３がアッパリンク４１の長手方向に移動した場合には、それと干渉することから、質量部５３の振動方向を、アッパリンク４１の振動方向と略一致させるように、質量部５３の振動方向を規制する機能を有している。
【００３３】
カバー部５４にはまた、その一端側に２つの貫通孔５４３が並んで貫通形成されており、この貫通孔５４３に対して挿通された前記取付ボルト５１２が、取付部５１の貫通孔５１１及び第２ベース４１３の取付孔４１０をそれぞれ貫通配置され、第２ベース４１３の下面側から、ナット５１３が取付ボルト５１２に螺合することによって共締めされて、カバー部５４を含むダイナミックダンパ５が、第２ベース４１３ひいてはアッパリンク４１に対して取り付けられる。
【００３４】
この構成を有する前脚１においては、シミーダンパとしてダイナミックダンパ５を採用しているため、トルクリンク４に対して、容易に後付けを行うことが可能である。つまり、例えば試作機を実際に作製し、それを地上で走行させることによってシミーの発生を確認した場合に、既存のトルクリンク４に対して後付けで取り付けることが可能である。具体的には、前述したように、トルクリンク４のアッパリンク４１に対し、ボルト４１８・ナット４１９により第１ベース４１２及び第２ベース４１３をそれぞれ取り付けると共に、その第２ベース４１３に対し、取付ボルト５１２及びナット５１３によってダイナミックダンパ５を取付固定することになる。ダイナミックダンパ５は、ボルト・ナットからなる締結部材による取付固定が可能であると共に、シミーによって振動する部材（ここではアッパリンク４１）に対して直接取り付けることが可能であるため、後付けが容易である。また、アッパリンク４１は、外部に露出している部材である点も後付けに有利である。特に、ダイナミックダンパ５を、長手方向に延びるアッパリンク４１の途中位置に取り付けているため、トルクリンク４の構成自体、特にアッパリンク４１とロアリンク４２との枢支部の構成を変更する必要がない。また、アッパリンク４１とロアリンク４２との枢支部にダンパが設けられないことから、この枢支部の切り離し構成はそのまま確保される。
【００３５】
また、ダイナミックダンパ５のチューニングは、そのばねやマスの調整によるため比較的容易である上に、この前脚１においては、ダイナミックダンパ５がボルト・ナットによってアッパリンク４１に取り付けられることから、その取り外しもまた容易である。従って、ダイナミックダンパ５のばねやマスを調整すべく、ダイナミックダンパ５を交換することも、極めて容易に行い得る。つまり、チューニングが容易になる。
このチューニングに際し、弾性部５２や質量部５３の大きさが変更される場合には、そのサイズ変更に応じて、弾性部５２及び質量部５３を支持する第１及び第２ベース４１２，４１３の大きさも変更することが望ましい。ここにおいて第２ベース４１３は、前述したように、第１ベース４１２とは別体であるため、弾性部５２及び質量部５３の大きさに合わせて第２ベース４１３のみを交換すればよく、第１ベース４１２は交換する必要がない。これは、チューニングに際して有利な構成である。尚、前記の第１ベース４１２及び第２ベース４１３は別体にすることには限定されず、これらを一体化してもよい。
また、弾性部５２や質量部５３の大きさが変更される場合には、そのサイズ変更に応じて、弾性部５２及び質量部５３を覆うカバー部５４の大きさも変更することが望ましい。ここにおいても、カバー部５４は、第１及び第２ベース４１２，４１３とは別体であるため、前記と同様に、弾性部５２や質量部５３の大きさに合わせてカバー部５４のみを交換すればよい。このこともまた、チューニングに際して有利になる。尚、前記のカバー部５４と第２ベース４１３とを一体化するようにしてもよく、さらには、前記のカバー部５４と第２ベース４１３と第１ベース４１２とを一体化するようにしてもよい。
【００３６】
さらに、ダイナミックダンパ５は、長手方向に延びるアッパリンク４１において、アッパリンク４１とロアリンク４２との枢支部側に配置されており、これによりダイナミックダンパ５は、図１に符号Dで示すように、軸線Ｘに対して径方向の外方に離れた位置に配置されている。このことは、軸線Ｘ回りの振動を効率的に減衰させる上で有効である。
【００３７】
加えて、カバー部５４の側壁５４１によって、質量部５３の振動方向が、アッパリンク４１の振動方向に概略一致するため、ダイナミックダンパ５によるシミーの減衰効果を効率的に向上させることが可能になる。しかもそうしたガイド機能を、カバー部５４に兼用させていることで、部品点数の低減化及び軽量化が図られる。
【００３８】
尚、前記の構成では、ダイナミックダンパ５を、トルクリンク４のアッパリンク４１に取り付けているが、ダイナミックダンパ５をロアリンク４２に、例えばその下面に取り付けるようにしてもよい。また、アッパリンク４１とロアリンク４２との双方にダイナミックダンパ５を取り付けてもよい。
【００３９】
またトルクリンク４に限らず、車輪３にシミーが発生したときに振動し得る部分、例えばストラットピストン２２側の部材に対してダイナミックダンパ５を取り付けるようにしてもよい。
【００４０】
また、前記の構成は、航空機の前脚の例であったが、シミーダンパとしてのダイナミックダンパ５を主脚に取り付けるようにしてもよい。
【産業上の利用可能性】
【００４１】
以上説明したように、この技術は、シミーダンパを、その調整をも含めて後付け容易に構成することができるから、シミーダンパが設けられた前脚及び主脚構造として有用である。
【図面の簡単な説明】
【００４２】
【図１】ダイナミックダンパを取り付けた前脚の側面図である。
【図２】ダイナミックダンパ及びトルクリンクの分解斜視図である。
【図３】トルクリンクに取り付けたダイナミックダンパの平面図である。
【符号の説明】
【００４３】
１    前脚（航空機脚）
２    ショックストラット
２１  ストラットシリンダ
２２  ストラットピストン
３    車輪
４    トルクリンク
４１  アッパリンク
４２  ロアリンク
５    ダイナミックダンパ
５１  取付部
５２  弾性部
５３  質量部
５４  カバー部
５４１  側壁（規制壁）
【図１】
2010221766.tif 000003
【図２】
2010221766.tif 000004
【図３】
2010221766.tif 000005